(57)【特許請求の範囲】
【請求項１】
無線通信システムの移動局動作方法において、
非対称的な構造の周波数帯域として部分的に構成された少なくとも一つのダウンリンクただし第2キャリアを通じて送信されたシステム構成情報を基地局から受信する過程と、
前記システム構成情報が指示されるフィードバック領域を決定する過程と、
前記第2キャリアのフィードバック情報を対称的な構造の周波数帯域として構成された第1キャリアの前記フィードバック領域でフィードバックチャンネルを通じて前記基地局へ送信する過程と、を含むことを特徴とする方法。
【請求項２】
キャリアアグリゲーション（ＣＡ）モードを行う場合、前記第1キャリアを介して前記基地局に多重周波数支援能力情報を伝送するステップと、
前記基地局からＣＡモードで使用する前記第2キャリアの少なくとも一つの情報を受信されるステップと、
前記第1キャリアと前記少なくとも一つの第2キャリアのうち前記基地局により活性化された第2キャリアを利用して前記基地局とデータを送受信するステップと、
前記基地局とのデータを送受信する中、非対称的な構造の周波数帯域が存在するか否かを確認するステップと、をさらに含み、
非対称的な構造の周波数帯域が存在する場合、前記フィードバック領域を獲得する請求項１に記載の方法。
【請求項３】
前記移動局が使用する少なくとも二個の周波数バンドのうち非対称的な構造の周波数バンドが存在しない場合、各周波数バンドのスーパーフレームヘッダを介して各周波数バンドに対するフィードバックチャネル情報を確認するステップと、
前記確認されたフィードバックチャネルを介して各周波数バンドに対するフィードバックを伝送するステップと、をさらに含む請求項１に記載の方法。
【請求項４】
無線通信システムの移動局装置において、
非対称的な構造の周波数帯域として部分的に構成された少なくとも一つのダウンリンクただし第2キャリアを通じて送信されたシステム構成情報を基地局から受信する受信器と、
前記システム構成情報が指示されるフィードバック領域を決定し、前記第2キャリアのフィードバック情報を対称的な構造の周波数帯域として構成された第1キャリアの前記フィードバック領域でフィードバックチャンネルを通じて前記基地局へ送信する制御部と、を含むことを特徴とする装置。
【請求項５】
前記制御部は、
キャリアアグリゲーション（ＣＡ）モードを行う場合、前記第1キャリアを介して前記基地局に多重周波数支援能力情報を伝送し、前記基地局からＣＡモードで使用する前記第2キャリアの少なくとも一つの情報を受信し、前記第1キャリアと前記少なくとも一つの第2キャリアのうち前記基地局により活性化された第2キャリアを利用して前記基地局とデータを送受信するように送信器と前記受信器を制御し、
非対称的な構造の周波数帯域が存在するか否かを確認し、
前記非対称的な構造の周波数帯域が存在する場合、前記フィードバック領域を獲得する請求項４に記載の装置。
【請求項６】
前記非対称的な構造の周波数帯域が存在するか否かを確認するステップは、
前記基地局から提供されるグローバルキャリア設定メッセージと多重周波数バンド情報メッセージ及び隣接基地局情報メッセージのうち少なくとも一つのメッセージに含まれた周波数バンドの特性情報を介して非対称的な周波数バンドの存在有無を確認するステップを含む請求項２または請求項５に記載の方法または装置。
【請求項７】
前記非対称的な構造の周波数帯域が存在するか否かを確認するステップは、
前記基地局から提供された少なくとも一つの周波数帯域に対する活性指示情報を利用して非対称的な周波数バンドの存在有無を確認するステップを含む請求項２または請求項５に記載の方法または装置。
【請求項８】
無線通信システムの基地局動作方法において、
非対称的な構造の周波数帯域として部分的に構成された少なくとも一つのダウンリンクただし第2キャリアを通じてシステム構成情報を移動局へ送信する過程と、
前記第2キャリアのフィードバック情報を対称的な構造の周波数帯域として構成された第1キャリアの前記フィードバック領域でフィードバックチャンネルを通じて前記移動局から受信する過程と、を含み、
前記フィードバック領域は、前記システム構成情報によって指示される方法。
【請求項９】
キャリアアグリゲーション（ＣＡ）モードを行う場合、前記移動局の前記第1キャリアを介して提供された前記移動局の多重周波数支援能力情報を考慮して決定した前記移動局がＣＡモードで使用する少なくとも一つの前記第2キャリアの情報を前記移動局に伝送するステップと、
前記少なくとも一つの第2キャリアに対する活性指示情報を前記移動局に伝送するステップと、
活性を指示する前記第2キャリア及び前記第1キャリアを利用して前記移動局とデータを送受信するステップと、
前記移動局とのデータを送受信する中に前記移動局が運用する周波数帯域のうち、非対称的な構造の周波数帯域が存在するか否かを確認するステップと、をさらに含み、
前記移動局が運用する周波数帯域のうち、非対称的な構造の周波数帯域が存在する場合、前記非対称的な構造の周波数バンドに対するフィードバックチャネル情報を伝送する請求項８に記載の方法。
【請求項１０】
前記移動局が使用する少なくとも二個の周波数バンドのうち非対称的な構造の周波数バンドが存在しない場合、各周波数バンドのスーパーフレームヘッダを介して各周波数バンドに対するフィードバックチャネル情報を伝送するステップと、
確認されたフィードバックチャネルを介して各周波数バンドに対するフィードバックが受信されるステップと、をさらに含む請求項８に記載の方法。
【請求項１１】
無線通信システムの基地局装置において、
非対称的な構造の周波数帯域として部分的に構成された少なくとも一つのダウンリンクただし第2キャリアを通じてシステム構成情報を移動局へ送信する送信器と、
前記第2キャリアのフィードバック情報を対称的な構造の周波数帯域として構成された第1キャリアの前記フィードバック領域でフィードバックチャンネルを通じて前記移動局から受信する受信器と、を含み、
前記フィードバック領域は、前記システム構成情報によって指示される装置。
【請求項１２】
キャリアアグリゲーション（ＣＡ）モードを行う場合、前記移動局の前記第1キャリアを介して提供された前記移動局の多重周波数支援能力情報を考慮して前記移動局がＣＡモードで使用する少なくとも一つの前記第2キャリアの及びそれぞれの第2キャリアに対する活性有無を決定し、活性指示した少なくとも一つの周波数バンドを利用して前記移動局とデータを送受信するように制御する制御部をさらに含み、
前記制御部は、前記移動局が運用する周波数帯域のうち、非対称的な構造の周波数帯域が存在する場合、前記非対称的な構造の周波数バンドに対するフィードバックチャネル情報を伝送するように制御する請求項１１に記載の装置。
【請求項１３】
前記多重周波数支援能力情報は、前記移動局が支援可能の周波数バンド、前記移動局が同時に運用できる周波数バンドの個数、ガードサブキャリア（ｇｕａｒｄ ｓｕｂｃａｒｒｉｅｒ）支援有無情報のうち少なくとも一つの情報を含む請求項２または請求項５または請求項９または請求項１２に記載の方法または装置。
【請求項１４】
前記非対称的な構造の周波数帯域が存在するか否かを確認するステップは、
前記移動局に伝送された活性指示情報を利用して非対称的な周波数バンドの存在有無を確認するステップを含む請求項９または請求項１２に記載の方法または装置。
【請求項１５】
前記フィードバック領域は、
第1キャリアに対するキャリアのインデックス、バックチャネルに対するリソースユニットのインデックス、フィードバックチャネルに対するリソースユニットの数及び各ＨＡＲＱフィードバック領域ごとにＨＡＲＱフィードバックチャネルの数のうち少なくとも一つを含む前記システム構成情報によって指示される請求項１または請求項４または請求項８または請求項１１に記載の方法または装置。
【発明の詳細な説明】
【技術分野】
【０００１】
本発明は、多重バンドを使用する無線通信システムに関し、特に、多重バンドを使用する無線通信システムにおいて非対称的にバンドを使用して移動局のデータ送受信を支援するための装置及びその方法に関する。
【背景技術】
【０００２】
無線通信システムが発展していくことに応じてサービス種類の拡張及び高品質に対するニーズが高まっている。これに従って近年は広帯域無線通信システムが台頭している。
【０００３】
前記広帯域無線通信システムは、限られた周波数帯域を採用する。これによって、前記広帯域無線通信システムは、広帯域サービスを提供するために追加的な使用可能な周波数帯域が必要となる。例えば、ＩＥＥＥ  ８０２．１６標準の無線通信システムで基地局ＢＳは、少なくとも一つの運用周波数ＦＡを運用する。この際、前記基地局は自らが運用するＦＡを介して移動局ＭＳへ無線通信サービスを提供する。
【０００４】
図１は、無線通信システムで支援する周波数バンドの個数に応じた構造を示している。
【０００５】
前記図１に示すように、前記図１（ａ）は１個のＦＡを使用して無線通信サービスが提供される端末を示し、前記図１（ｂ）は２個のＦＡを使用して無線通信サービスが提供される端末を示す。
【０００６】
前記図１（ａ）に示すように、移動局１００は第１ＦＡ領域１２０に位置している中、第２ＦＡ領域１４０に移動することができる。ここで、前記第１ＦＡ領域１２０は第１ＦＡを使用して領域を表し、前記第２ＦＡ領域１４０は第２ＦＡを使用するサービス領域を表す。例えば、前記移動局１００が前記第１ＦＡ領域１２０に位置する場合、前記移動局１００は一つのＦＡ（例：第１ＦＡ）だけを運用する。また、前記第１ＦＡ及び前記第２ＦＡがお互い異なる基地局によって運用される場合、前記移動局１００はＦＡ間のハンドオーバを介して第２ＦＡを使用して無線通信システムが提供されることもある。
【０００７】
前記図１（ｂ）に示すように、移動局１５０と基地局は、少なくとも二個のＦＡを運用できることにする。この場合、前記移動局１５０は第１ＦＡ領域１６０及び第２ＦＡ領域１８０の両方を利用して無線通信サービスが提供されることができる。このように、複数のＦＡを介して移動局と基地局が信号を送受信する場合、前記移動局と前記基地局は高速で大容量データを送受信することができる。
【０００８】
前記移動局が多数のＦＡを同時に使用する場合、前記移動局が使用するＦＡは下記の図２に示すように非対称的に構成されることもある。
【０００９】
図２は、多重バンドを支援する無線通信システムで非対称的な周波数バンド構成を示している。
【００１０】
前記図２（ａ）に示すように、第１ＦＡ２０１はアップリンクデータを伝送することに常用され、第２ＦＡ２０３はダウンリンクデータを伝送することに使用され、第３ＦＡ２０５はアップリンクデータとダウンリンクデータを伝送することに使用される。即ち、前記第１ＦＡ２０１と第２ＦＡ２０３はＦＤＤ構造を支援するＦＡを表し、前記第３ＦＡ２０５はＴＤＤ構造を支援するＦＡを表す。もし、前記第２ＦＡ２０３と前記第３ＦＡ２０５が前記移動局１５０に割り当てられる場合、前記移動局１５０は前記第２ＦＡ２０３と第３ＦＡ２０５のダウンリンク領域を利用してダウンリンク信号を受信し、前記第３ＦＡ２０５のアップリンク領域を利用してアップリンク信号を送信する非対称キャリアアグリゲーションを有する。
【００１１】
前記図２（ｂ）に示すように、第１ＦＡ２１１、第２ＦＡ２１３及び第３ＦＡ２１５はアップリンクデータとダウンリンクデータを伝送することに使用される。即ち、前記第１ＦＡ２１１、第２ＦＡ２１３及び第３ＦＡ２１５は、ＴＤＤ構造を支援するＦＡを表す。
【００１２】
もし、前記第１ＦＡ２１１のダウンリンク領域と前記第２ＦＡ２１３を前記移動局１５０に割り当てる場合、前記移動局は前記第１ＦＡ２１１及び前記第２ＦＡ２１３のダウンリンク領域を利用してダウンリンク信号を受信し、前記第２ＦＡ２１３のアップリンク領域を利用してアップリンク信号を送信する非対称キャリアアグリゲーションを有する。
【００１３】
前記図２（ｃ）に示すように、第１ＦＡ２２１はダウンリンクデータを伝送することに使用され、第２ＦＡ２２３はアップリンクデータとダウンリンクデータを伝送することに使用され、第３ＦＡ２２５はアップリンクデータを伝送することに使用される。即ち、前記第１ＦＡ２２１と第３ＦＡ２２５はＦＤＤ構造を支援するＦＡを表し、前記第２ＦＡ２２３はＴＤＤ構造を支援するＦＡを表す。
【００１４】
もし、前記第１ＦＡ２２１と前記第２ＦＡ２２３のダウンリンク領域及び前記第３ＦＡ２２５を前記移動局１５０に割り当てる場合、前記移動局１５０は前記第１ＦＡ２２１と前記第２ＦＡ２２３のダウンリンク領域を利用してダウンリンク信号を受信し、前記第３ＦＡ２２５を利用してアップリンク信号を送信する非対称キャリアアグリゲーションを有する。
【００１５】
無線通信システムにおける基地局は移動局から提供されたチャネルフィードバック情報を利用して前記移動局にサービスを提供するための資源を割り当てる。しかし、非対称キャリアアグリゲーションの場合、ダウンリンクチャネルと対称を成すアップリンクチャネルが存在しないこともあり得る。これによって、非対称キャリアアグリゲーションで基地局と移動局との間のチャネルフィードバック情報を伝送するための別の方法が必要となる。
【発明の概要】
【発明が解決しようとする課題】
【００１６】
本発明の目的は、少なくとも上述の問題及び／又は短所を解決して少なくとも下記の長所を提供することにある。
【００１７】
よって、本発明の目的は、無線通信システムにおいて移動局と基地局との間の多重周波数バンドを利用して通信を行うための装置及びその方法に提供することにある。
【００１８】
本発明の他の目的は、無線通信システムにおいて非対称的な周波数バンドを利用して前記移動局と基地局との間の通信を行うための装置及びその方法を提供することにある。
【００１９】
本発明のまた他の目的は、無線通信システムにおいて非対称的な周波数バンドを利用してデータを送受信する場合、チャネルフィードバックを伝送するための装置及びその方法を提供することにある。
【００２０】
本発明のさらに他の目的は、無線通信システムにおいて非対称的な周波数バンドを利用してデータを送受信する場合、基地局で非対称的なサブバンドのチャネルフィードバック資源を割り当てるための装置及びその方法を提供することにある。
【００２１】
本発明のまた他の目的は、無線通信システムにおいて非対称的な周波数バンドを利用してデータを送受信する場合、前記移動局で基本バンドを利用して非対称的なサブバンドのチャネルフィードバックを伝送するための装置及びその方法を提供することにある。
【課題を解決するための手段】
【００２２】
本発明の目的を達成するための本発明の第１見地によると、多重バンドを支援する無線通信システムの移動局で非対称的な構造の周波数バンドのフィードバック情報を伝送するための方法は、前記移動局が使用する少なくとも二個の周波数バンドのうち少なくとも一つの非対称的な構造の周波数バンドが存在する場合、前記非対称的な構造の周波数バンドのシステムチャネル情報（ＡＡＩ＿ＳＣＤ）を介して前記非対称的な構造の周波数バンドに対するフィードバックチャネル情報を確認するステップと、前記確認したフィードバックチャネルを介して前記非対称的な構造の周波数バンドに対するフィードバック情報を伝送するステップと、を含み、前記フィードバックチャネル情報は、対称的な構造の周波数バンドに割り当てられた前記非対称的な構造の周波数バンドに対するフィードバックチャネル情報を含むことを特徴とする。
【００２３】
本発明の第２見地によると、多重バンドを支援する無線通信システムの移動局で非対称的な構造の周波数バンドのフィードバック情報を伝送するための装置は、前記移動局が使用する少なくとも二個の周波数バンドのうち少なくとも一つの非対称的な構造の周波数バンドが存在する場合、前記非対称的な構造の周波数バンドを介して受信したシステムチャネル情報（ＡＡＩ＿ＳＣＤ）を利用して前記非対称的な構造の周波数バンドに対するフィードバックチャネル情報を確認する受信器と、前記確認したフィードバックチャネルを介して前記非対称的な構造の周波数バンドに対するフィードバックを伝送する送信器と、を含み、前記フィードバックチャネル情報は、対称的な構造の周波数バンドに割り当てられた前記非対称的な構造の周波数バンドに対するフィードバックチャネル情報を含むことを特徴とする。
【００２４】
本発明の第３見地によると、多重バンドを支援する無線通信システムの基地局で非対称的な構造の周波数バンドのフィードバックチャネル情報を伝送するための方法は、移動局が使用する少なくとも二個の周波数バンドのうち少なくとも一つの周波数バンドが非対称的な構造で構成された場合、前記非対称的な構造の周波数バンドのシステムチャネル情報（ＡＡＩ＿ＳＣＤ）を介して前記非対称的な構造の周波数バンドに対するフィードバックチャネル情報を伝送するステップと、前記非対称的な構造の周波数バンドに割り当てたフィードバックチャネルを介して前記非対称的な構造の周波数バンドに対するフィードバックが受信されるステップと、を含み、前記フィードバックチャネル情報は、対称的な構造の周波数バンドに割り当てられた前記非対称的な構造の周波数バンドに対するフィードバックチャネル情報を含むことを特徴とする。
【００２５】
本発明の第４見地によると、多重バンドを支援する無線通信システムの移動局で非対称的な構造の周波数バンドのフィードバックチャネル情報を伝送するための装置は、移動局が使用する少なくとも二個の周波数バンドのうち少なくとも一つの周波数バンドが非対称的な構造で構成された場合、前記非対称的な構造の周波数バンドのシステムチャネル情報（ＡＡＩ＿ＳＣＤ）を介して前記非対称的な構造の周波数バンドに対するフィードバックチャネル情報を伝送する送信器と、前記非対称的な構造の周波数バンドに割り当てたフィードバックチャネルを介して前記非対称的な構造の周波数バンドに対するフィードバックが受信される受信器と、を含み、前記フィードバックチャネル情報は、対称的な構造の周波数バンドに割り当てられた前記非対称的な構造の周波数バンドに対するフィードバックチャネル情報を含むことを特徴とする。
【図面の簡単な説明】
【００２６】
【図１】無線通信システムにおける支援する周波数バンドの個数に応じた構造を示す図である。
【図２】多重バンドを支援する無線通信システムにおける非対称的な周波数バンド構成を示す図である。
【図３】本発明の実施例による無線通信システムにおいて非対称的な周波数バンドのフィードバックを伝送するためのフレーム構成を示す図である。
【図４】本発明の他の実施例による無線通信システムにおいて非対称的な周波数バンドのフィードバックを伝送するためのフレーム構成を示す図である。
【図５】本発明の実施例による無線通信システムの移動局において非対称的な周波数バンドのフィードバックを処理するための手順を示す図である。
【図６】本発明の実施例による無線通信システムの基地局において非対称的な周波数バンドのフィードバックを処理するための手順を示す図である。
【図７】本発明のまた他の実施例による無線通信システムにおいて非対称的な周波数バンドのフィードバックを伝送するためのフレーム構成を示す図である。
【図８】本発明の他の実施例による無線通信システムの移動局において非対称的な周波数バンドのフィードバックを処理するための手順を示す図である。
【図９】本発明の他の実施例による無線通信システムの基地局において非対称的な周波数バンドのフィードバックを処理する基地局の動作を示す図である。
【図１０】本発明の実施例による無線通信システムにおいて非対称的な周波数バンドを支援するためのブロック構成を示す図である。
【図１１】本発明の実施例による無線通信システムにおいて非対称的な周波数バンドを支援するためのブロック構成を示す図である。
【発明を実施するための形態】
【００２７】
以下、図面を参考した説明は、特許請求の範囲及びこれと同等なものにより定義される本発明の実施例の包括的な理解を助けるために提供される。以下の説明は、理解を助けるために多様な具体的な細部事項を含むが、単なる例示として取り扱われるのみである。従って、本発明の思想や範囲を逸脱しない範囲内で実施例の多様な変形及び修正が可能であるというのはもちろんである。また、広く知られている機能及び構造の説明は、明確性のために省略する。
【００２８】
「ａ」、「ａｎ」及び「ｔｈｅ」のような単数形式は文脈で明確に技術しない限り複数の指示対象を含む。例えば、「ａ  ｃｏｍｐｏｎｅｎｔ  ｓｕｒｆａｃｅ」は少なくとも一つの意味を含む。
【００２９】
以下で、本発明は多重バンドを使用する無線通信システムにおいて非対称的な周波数バンドを利用してデータ送受信する場合、フィードバック情報を伝送するための技術に対して説明する。
【００３０】
以下の説明は、直交周波数分割多重（ＯＦＤＭ）／直交周波数分割多重接続（ＯＦＤＭＡ）方式の無線通信システムを挙げて説明する。しかし、他の通信方式の無線通信システムにも同じく適用され得る。
【００３１】
以下で説明することに当って移動局と基地局とが多数の周波数バンドを利用して信号を送受信するモードを「オーバーレイモード」と称する。また、前記オーバーレイモードで動作する無線通信システムを「オーバーレイ無線通信システム」と称する。
【００３２】
前記図２に示すように、非対称的なサブバンドを利用してオーバーレイモードで動作する場合、移動局は基本バンドの他に非対称的なサブバンドに対するフィードバックを提供しなければならない。また、基地局は非対称的なサブバンドのフィードバックを伝送するために必要な基本バンドの資源を指示すべきである。例えば、前記図２（ａ）に示すように、非対称キャリアアグリゲーションを利用する場合、前記基地局は非対称的な第２ＦＡ２０３のフィードバックを伝送するために要する基本バンドの資源を指示しなければならない。また、前記移動局は前記基地局の指示に従って非対称的な第２ＦＡ２０３のフィードバックを前記基地局に伝送すべきである。
【００３３】
以下の説明は移動局で非対称的なサブバンドに対するフィードバックを伝送するためのフレーム構成に対して説明する。
【００３４】
図３は、本発明の実施例による無線通信システムにおいて非対称的な周波数バンドのフィードバックを伝送するためのフレーム構成を示す図である。
【００３５】
前記図３に示すように、第１基本バンド（Ｐ−ＦＡ）３００は、ダウンリンク領域３２０とアップリンク領域３３０で構成され、サブバンド（Ｓ−ＦＡ）３１０はダウンリンク領域３５０で構成される。即ち、前記第１基本バンド３００はＴＤＤ方式で構成される。
【００３６】
前記第１基本バンド３００のダウンリンク領域３２０はスーパーフレームヘッダ（ＳＦＨ）３２１、ダウンリンク資源割当マップ情報３２３、アップリンク資源割当マップ情報３２５、ファストフィードバック割当マップ情報３２７及びフィードバックポーリングマップ情報３２９を含む。ここで、前記ファストフィードバック割当マップ情報３２７とフィードバックポーリングマップ情報３２９は、本発明の説明を容易にするために記述されたことであって前記第１基本バンド３００のダウンリンク領域３２０に含まれないこともある。
【００３７】
前記サブバンド３１０のダウンリンク領域３５０はスーパーフレームヘッダ３５１、ダウンリンク資源割当マップ情報３５３、ファストフィードバック割当マップ情報３５５及びフィードバックポーリングマップ情報３２７を含む。ここで、前記ファストフィードバック割当マップ情報３５５とフィードバックポーリングマップ情報３５７は、本発明の説明を容易にするために記述されたことであって前記サブバンド３１０のダウンリンク領域３５０に含まれないこともある。
【００３８】
前記第１基本バンド３００のアップリンク領域３３０は、前記第１基本バンド３００のダウンリンクに対するフィードバックチャネル３３１、前記第１基本バンド３００の帯域要請チャネル（ＢＲ  ｃｈａｎｎｅｌ）３３３、前記サブバンド３１０のダウンリンクに対するフィードバックチャネル３３５、前記第１基本バンド３００のデータチャネル３３７、前記第１基本バンド３００のファストフィードバック情報を伝送するためのデータチャネル３３９及び前記サブバンド３１０のファストフィードバック情報を伝送するためのデータチャネル３４１を含む。
【００３９】
上述のフレーム構成において前記第１基本バンド３００のダウンリンクに対するフィードバックチャネル３３１情報は前記第１基本バンド３００のＳＦＨ３２１を介して伝送され、前記サブバンド３１０のダウンリンクに対するフィードバックチャネル３３５情報は、前記サブバンド３１０のＳＦＨ３５１を介して送信される。また、前記第１基本バンド３００のファストフィードバック情報を送信するためのデータチャネル３３９情報は、前記第１基本バンド３００のフィードバックポーリングマップ情報３２９を介して伝送され、前記サブバンド３１０のファストフィードバック情報を伝送するためのデータチャネル３４１情報は前記サブバンド３１０のフィードバックポーリングマップ情報３５７を介して伝送される。例えば、前記ＳＦＨ３２１、３５１を介して伝送されるフィードバックチャネル情報は、下記の表１に示される情報を含む。
【００４０】
【表１】
0005607763.tif 000002
【００４１】
前記表１を参照すると、前記ＳＦＨ３２１、３５１は全フィードバックチャネル領域情報と前記フィードバックチャネル領域中からＨＡＲＱフィードバック伝送チャネル領域情報を含む。例えば、前記第１基本バンド３００のＳＦＨ３２１は、第１基本バンド３００の全フィードバックチャネル領域情報と前記フィードバックチャネル領域中からＨＡＲＱフィードバック伝送チャネル領域情報を含む。他の例を挙げると、前記サブバンド３１０のＳＦＨ３５１はサブバンド３１０に対する全フィードバックチャネル領域情報と前記フィードバックチャネル領域中からＨＡＲＱフィードバック伝送チャネル領域情報を含む。ここで、前記全フィードバックチャネル領域は、前記ＨＡＲＱフィードバック伝送チャネル領域とファストフィードバックチャネル領域を合わせた情報を含む。これによって、移動局は前記全フィードバックチャネル領域情報と前記ＨＡＲＱフィードバック伝送チャネル領域情報を利用してファストフィードバックチャネル領域情報を獲得することができる。また、前記サブバンド３１０に対するフィードバックチャネル領域３３５は前記帯域要請チャネル３３３の後に位置する。これによって、前記サブバンド３１０のＳＦＨ３５１は、前記サブバンド３１０に対するフィードバックチャネル領域３３５の開始情報が含まなくてもよい。
【００４２】
多数の移動局がオーバーレイモード中、キャリアアグリゲーション（ＣＡ：Ｃａｒｒｉｅｒ  Ａｇｇｒｅｇａｔｉｏｎ）モードを支援する場合、各移動局の基本バンドはお互い異なって設定され得る。これによって、特定移動局の基本バンドは他の移動局のサブバンドになり得る。
【００４３】
他の実施例において、オーバーレイモードを支援する各移動局の基本バンドはお互い異なって設定され、サブバンドは同じバンドに設定され得る。この場合、前記サブバンドは、前記図２（ａ）に第２ＦＡ２０３のようなダウンリンクのみを有する非対称的なバンドになり得る。
【００４４】
他の実施例において、オーバーレイモードを支援する各移動局の基本バンドは同じバンドに設定され、サブバンドはお互い異なって設定され得る。この場合、前記サブバンドは、前記図２（ａ）に第２ＦＡ２０３のようなダウンリンクのみを有する非対称的なバンドになり得る。
【００４５】
上述したように、オーバーレイモードで動作する多数個の移動局がサブバンドを共有し、お互い異なる基本バンドを使用する場合、非対称的なサブバンドに対するフィードバックを伝送するためのフレーム構成は、下記の図４に示すように構成されることができる。他の例を挙げると、前記移動局が基本バンドを共有し、お互い異なるサブバンドを使用する場合にも下記の図４に示すようなフレーム構成を利用することができる。
【００４６】
図４は、本発明の他の実施例による無線通信システムにおいて非対称的な周波数バンドのフィードバックを伝送するためのフレーム構成を示す図である。
【００４７】
前記図４に示すように、第１基本バンド（Ｐ−ＦＡ）４００は、ダウンリンク領域４３０とアップリンク領域４４０で構成され、サブバンド（Ｓ−ＦＡ）４１０はダウンリンク領域４６０で構成され、第２基本バンド（Ｐ−ＦＡ）４２０は、ダウンリンク領域４７０とアップリンク領域４８０で構成される。即ち、前記第１基本バンド４００と第２基本バンド４２０は、ＴＤＤ方式で構成される。
【００４８】
前記第１基本バンド４００のダウンリンク領域４３０はスーパーフレームヘッダ（ＳＦＨ）４３１、ダウンリンク資源割当マップ情報４３３、アップリンク資源割当マップ情報４３５、ファストフィードバック割当マップ情報４３７及びフィードバックポーリングマップ情報４３９を含む。ここで、前記ファストフィードバック割当マップ情報４３７とフィードバックポーリングマップ情報４３９は、本発明の説明を容易にするために記述されたことであって前記第１基本バンド４００のダウンリンク領域４３０に含まれないこともある。
【００４９】
前記第１基本バンド４００のアップリンク領域４４０は、前記第１基本バンド４００のダウンリンクに対するフィードバックチャネル４４１、前記第１基本バンド４００の帯域要請チャネル４４３、前記サブバンド４１０のダウンリンクに対するフィードバックチャネル４４５、前記第１基本バンド４００のデータチャネル４４７、前記第１基本バンド４００のファストフィードバック情報を伝送するためのデータチャネル４４９及び前記サブバンド４１０のファストフィードバック情報を伝送するためのデータチャネル４５１を含む。ここで、前記フィードバックチャネル４４５と前記第１基本バンド４００のファストフィードバック情報を伝送するためのデータチャネル４４９は、前記第１基本バンド４００と前記サブバンド４１０を使用してオーバーレイモードで動作する移動局に対応する情報である。
【００５０】
前記第２基本バンド４２０のダウンリンク領域４７０はスーパーフレームヘッダ（ＳＦＨ）４７１、ダウンリンク資源割当マップ情報４７３、アップリンク資源割当マップ情報４７５、ファストフィードバック割当マップ情報４７７及びフィードバックポーリングマップ情報４７９を含む。ここで、前記ファストフィードバック割当マップ情報４７７とフィードバックポーリングマップ情報４７９は、本発明の説明を容易にするために記述されたことであって前記第２基本バンド４２０のダウンリンク領域４７０に含まれないこともある。
【００５１】
前記第２基本バンド４２０のアップリンク領域４８０は、前記第２基本バンド４２０のダウンリンクに対するフィードバックチャネル４８１、前記第２基本バンド４２０の帯域要請チャネル４８３、前記サブバンド４１０のダウンリンクに対するフィードバックチャネル４８５、前記第２基本バンド４２０のデータチャネル４８７、前記第２基本バンド４２０のファストフィードバック情報を伝送するためのデータチャネル４８９及び前記サブバンド４１０のファストフィードバック情報を伝送するためのデータチャネル４９１を含む。ここで、前記フィードバックチャネル４８５と前記第２基本バンド４２０のファストフィードバック情報を伝送するためのデータチャネル４８９は、前記第２基本バンド４２０と前記サブバンド４１０を使用してオーバーレイモードで動作する移動局に対応する情報である。
【００５２】
前記サブバンド４１０のダウンリンク領域４６０はスーパーフレームヘッダ４６１、ダウンリンク資源割当マップ情報４６３、ファストフィードバック割当マップ情報４６５及びフィードバックポーリングマップ情報４６７を含む。ここで、前記ファストフィードバック割当マップ情報４６５とフィードバックポーリングマップ情報４６７は、本発明の説明を容易にするために記述されたことであって前記サブバンド４１０のダウンリンク領域４６０に含まれないこともある。
【００５３】
上述のフレーム構成において前記第１基本バンド４００のダウンリンクに対するフィードバックチャネル４４１情報は前記第１基本バンド４００のＳＦＨ４３１を介して伝送され、前記サブバンド４１０のダウンリンクに対するフィードバックチャネル４４５情報は前記サブバンド４１０のＳＦＨ４６１を介して伝送される。また、前記第１基本バンド４００のファストフィードバック情報を伝送するためのデータチャネル４４９情報は前記第１基本バンド４００のフィードバックポーリングマップ情報４３９を介して伝送され、前記サブバンド４１０のファストフィードバック情報を伝送するためのデータチャネル４５１情報は前記サブバンド４１０のフィードバックポーリングマップ情報４６７を介して伝送される。
【００５４】
この際、前記第１基本バンド４００のＳＦＨ４３１を介して伝送されるフィードバックチャネル情報は、前記表１に示される情報を含む。
【００５５】
前記第２基本バンド４２０のダウンリンクに対するフィードバックチャネル４８１情報は前記第２基本バンド４２０のＳＦＨ４７１を介して伝送され、前記サブバンド４１０のダウンリンクに対するフィードバックチャネル４８５情報は前記サブバンド４１０のＳＦＨ４６１を介して伝送される。また、前記第２基本バンド４２０のファストフィードバック情報を伝送するためのデータチャネル４８９情報は前記第２基本バンド４２０のフィードバックポーリングマップ情報４７９を介して伝送され、前記サブバンド４１０のファストフィードバック情報を送信するためのデータチャネル４９１情報は前記サブバンド４１０のフィードバックポーリングマップ情報４６７を介して伝送される。
【００５６】
この際、前記第２基本バンド４２０のＳＦＨ４７１を介して伝送されるフィードバックチャネル情報は、前記表１に示される情報を含む。
【００５７】
前記サブバンド４１０のＳＦＨ４６１は、前記第１基本バンド４００を使用するフィードバックチャネル４４５と前記第２基本バンド４２０を使用するフィードバックチャネル４８５に対する情報を含むために下記の表２に示される情報を含む。
【００５８】
【表２】
0005607763.tif 000003
【００５９】
前記表２を参照すると、前記非対称的なサブバンド４１０のＳＦＨ４６１は前記非対称的なサブバンド４１０を使用する移動局の基本バンドに対するバンドインデックスと前記各基本バンドにおいて割り当てる前記移動局のサブバンド４１０に対する全フィードバックチャネル領域情報と前記フィードバックチャネル領域中からＨＡＲＱフィードバック伝送チャネル領域情報を含む。ここで、前記全フィードバックチャネル領域は、前記ＨＡＲＱフィードバック伝送チャネル領域とファストフィードバックチャネル領域を合わせた情報を含む。これによって、移動局は前記全フィードバックチャネル領域情報と前記ＨＡＲＱフィードバック伝送チャネル領域情報を利用して前記ファストフィードバックチャネル領域情報を獲得することができる。
【００６０】
また、前記表２において前記サブバンド４１０のＳＦＨ４６１は、フィードバックチャネル領域開始位置情報を含むことができる。前記フィードバックチャネル領域開始位置情報は、前記サブバンド４１０に対するフィードバックチャネル領域がどの位置から開始されるかに対する情報を報知する。しかし、前記フィードバックチャネル領域が前記帯域要請チャネル４４３、４８３の後に位置する場合、前記ＳＦＨ４６１は前記フィードバックチャネル領域開始位置情報を含まなくてもよい。
【００６１】
以下の説明は移動局において前記図３または図４に示されたフレーム構成に利用して非対称的なサブバンドのフィードバックを処理するための方法に対して説明する。
【００６２】
図５は、本発明の実施例による無線通信システムの移動局において非対称的な周波数バンドのフィードバックを処理するための手順を示す図である。
【００６３】
前記図５を参照すると、基本バンドを利用して基地局と通信中の移動局は、ステップ５０１でオーバーレイモード中のキャリアアグリゲーション（ＣＡ）モードを行うか否かを決定する。
【００６４】
キャリアアグリゲーションモードを行わない場合、前記移動局はこのアルゴリズムを終了する。
【００６５】
一方、キャリアアグリゲーションモードを行う場合、前記移動局はステップ５０３に進めて自らの多重集多数支援能力情報を前記基地局へ伝送する。ここで、前記多重周波数支援能力情報は、前記移動局が支援できる周波数バンド、前記移動局が同時に運用できる周波数バンドの個数、ガードギャリア支援有無などの情報を含む。
【００６６】
前記基地局へ多重周波数支援能力情報を伝送した後、前記移動局はステップ５０５に進めて前記基地局からキャリアアグリゲーションモードで使用するサブバンドに対する情報を受信する。
【００６７】
以後、前記移動局はステップ５０７で前記基地局から前記サブバンドに対する活性指示情報を受信する。例えば、前記移動局は前記基地局から前記サブバンドのアップ／ダウンリンクに対する活性指示情報またはダウンリンクに対する活性指示情報を受信する。
【００６８】
前記活性指示情報を受信した後、前記移動局はステップ５０９に進めて前記基地局の指示によって活性化されたサブバンドと前記基本バンドを利用したＣＡモードを介して前記基地局とデータを送受信する。
【００６９】
前記ＣＡモードを介してデータを送受信する場合、前記移動局はステップ５１１に進めて前記サブバンドが非対称的な周波数バンドであるか否かを確認する。例えば、前記移動局は、前記基地局から提供されるグローバルキャリア設定メッセージと多重周波数バンド情報メッセージ及び隣接基地局情報メッセージのうち少なくとも一つのメッセージに含まれた周波数バンドの特性情報を介して前記サブバンドが非対称的な周波数バンドであるか否かを確認する。この際、前記移動局は前記周波数バンド特性のうち対称周波数バンド／非対称周波数バンド情報を介して前記サブバンドが非対称的な周波数バンドであるか否かを確認する。他の例を挙げると、前記移動局は前記ステップ５０７で前記基地局から提供されるサブバンドに対する活性指示情報を利用して前記サブバンドが非対称的な周波数バンドであるか否かを確認することもある。即ち、前記基地局でサブバンドのダウンリンクに対する活性化のみを指示する場合、前記移動局は前記サブバンドが非対称的な周波数バンドであることと認識する。
【００７０】
前記サブバンドが非対称的な周波数バンドである場合、前記移動局はステップ５１３に進めて前記サブバンドのスーパーフレームヘッダ（ＳＦＨ）から前記非対称的なサブバンドに対するフィードバックチャネル情報を獲得する。例えば、前記図３の場合、前記移動局は前記サブバンド３１０のＳＦＨ３５１を介して前記サブバンド３１０のダウンリンクに対するフィードバックチャネル３３５情報を取得する。また、前記移動局は前記サブバンド３１０のフィードバックポーリングマップ情報３５７を介して前記サブバンド３１０のファストフィードバック情報を伝送するためのデータチャネル３４１情報を獲得する。他の例を挙げると、前記図４で第１基本バンド４００を使用する場合、前記移動局は前記サブバンド４１０のＳＦＨ４６１を介して前記サブバンド４１０のダウンリンクに対するフィードバックチャネル４４５情報を確認することもある。また、前記移動局は前記サブバンド４１０のフィードバックポーリングマップ情報４６７を介して前記サブバンド４１０のファストフィードバック情報を伝送するためのデータチャネル４５１情報を獲得することもできる。
【００７１】
前記サブバンドに対するフィードバックチャネル情報を獲得した後、前記移動局はステップ５１５に進めて前記サブバンドに対するフィードバックチャネル情報を利用して前記基本バンドのアップリンク領域に割り当てられるサブバンドのフィードバックチャネル領域を確認する。以後、前記移動局は前記確認したサブバンドのフィードバックチャネル領域を介して前記サブバンドのフィードバックを行う。例えば、前記図３の場合、前記移動局は前記基本バンド３００のフィードバックチャネル３３１を介して前記基本バンドのフィードバックを伝送し、前記サブバンド３１０のフィードバックチャネル３３５を介して前記サブバンドのフィードバックバンドを伝送する。
【００７２】
一方、前記ステップ５１１で前記サブバンドが非対称的な周波数バンドではない場合、前記移動局はステップ５１７に進めて前記サブバンドのスーパーフレームヘッダから前記対称的なサブバンドに対するフィードバックチャネル情報を獲得する。
【００７３】
前記サブバンドに対するフィードバックチャネル情報を獲得した後、前記移動局はステップ５１９に進めて前記サブバンドのアップリンク領域に割り当てられるサブバンドのフィードバックチャネル領域を確認する。以後、前記移動局は前記確認したサブバンドのフィードバックチャネル領域を介して前記サブバンドのフィードバックを行う。
【００７４】
以後、前記移動局はこのアルゴリズムを終了する。
【００７５】
図６は、本発明の実施例による無線通信システムの基地局において非対称的な周波数バンドのフィードバックを処理するための手順を示す図である。
【００７６】
前記図６を参照すると、基地局はステップ６０１でサービスを提供する移動局中、キャリアアグリゲーション（ＣＡ）モードで動作する移動局が存在するか否かを確認する。
【００７７】
キャリアアグリゲーションモードで動作する移動局が存在しない場合、前記基地局はこのアルゴリズムを終了する。
【００７８】
一方、キャリアアグリゲーションモードで動作する移動局が存在する場合、前記基地局はステップ６０３に進めて非対称的な構造のサブバンドを運用する移動局が存在するか否かを確認する。
【００７９】
非対称的な構造のサブバンドを運用する移動局が存在する場合、前記基地局はステップ６０５に進めて基本バンドのＳＦＨと前記サブバンドのスーパーフレームヘッダ（ＳＦＨ）を利用して前記基本バンドのフィードバックチャネル割当情報と非対称的な構造のサブバンドに対するフィードバックチャネル割当情報を伝送する。例えば、前記図３の場合、前記基地局は前記基本バンド３００のＳＦＨ３２１を介して前記基本バンド３００のダウンリンクに対するフィードバックチャネル３３１情報を伝送する。また、前記基地局は前記サブバンド３１０のＳＦＨ３５１を介して前記サブバンド３１０のダウンリンクに対するフィードバックチャネル３３５情報は伝送される。この際、前記基地局は前記サブバンド３１０のフィードバックポーリングマップ情報３５７を介して前記サブバンド３１０のファストフィードバック情報を伝送するためのデータチャネル３４１情報を伝送してもよい。他の例を挙げると、移動局が前記図４に示すように第１基本バンド４００を使用する場合、前記基地局は前記第１基本バンド４００のＳＦＨ４３１を介して前記第１基本バンド４００のダウンリンクに対するフィードバックチャネル４４１情報を伝送する。また、前記基地局は前記サブバンド４１０のＳＦＨ４６１を介して前記サブバンド４１０のダウンリンクに対するフィードバックチャネル４４５情報を伝送する。この際、前記基地局は前記サブバンド４１０のフィードバックポーリングマップ情報４６７を介して前記サブバンド４１０のファストフィードバック情報を伝送するためのデータチャネル４５１情報を獲得することもできる。
【００８０】
以後、前記基地局はステップ６０７に進めて前記基本バンドとサブバンドのＳＦＨを介して伝送したフィードバックチャネル割当情報によって基本バンドのアップリンク領域に割り当てたフィードバックチャネルを介して前記基本バンドと前記非対称的な構造のサブバンドに対するフィードバックを受信する。
【００８１】
一方、前記ステップ６０３で非対称的な構造のサブバンドを運用する移動局が存在しない場合、前記基地局はステップ６０９に進めて前記サブバンドのスーパーフレームヘッダ（ＳＦＨ）を利用して対称的な構造のサブバンドに対するフィードバックチャネル割当情報を伝送する。この際、前記基地局は対称的な構造の基本バンドのＳＦＨを介して前記基本バンドのフィードバックチャネル割当情報を伝送する。
【００８２】
以後、前記基地局はステップ６１１に進めて前記基本バンドのＳＦＨを介して伝送したフィードバックチャネル割当情報によって基本バンドに割り当てたフィードバックチャネルを介して前記基本バンドのフィードバックを受信する。また、前記基地局は前記対称的な構造のサブバンドのＳＦＨを介して伝送したフィードバックチャネル割当情報によってサブバンドに割り当てたフィードバックチャネルを介して前記サブバンドのフィードバックを受信する。
【００８３】
以後、前記基地局はこのアルゴリズムを終了する。
【００８４】
上述した実施例において、基地局はスーパーフレームヘッダ（ＳＦＨ）を介して非対称的な周波数バンドのフィードバック情報を移動局へ伝送する。
【００８５】
他の実施例において、前記基地局はシステムチャネル情報（ＡＡＩ＿ＳＣＤ）メッセージを利用して非対称的な周波数バンドのフィードバック情報を移動局へ伝送することもある。この場合、移動局で非対称的なサブバンドに対するフィードバックを伝送するためのフレームは、下記の図７に示すように構成され得る。
【００８６】
図７は、本発明のまた他の実施例による無線通信システムにおいて非対称的な周波数バンドのフィードバックを伝送するためのフレーム構成を示す図である。
【００８７】
前記図７に示すように、第１基本バンド（Ｐ−ＦＡ）７００はダウンリンク領域７２０とアップリンク領域７３０で構成され、サブバンド（Ｓ−ＦＡ）７１０はダウンリンク領域７５０で構成される。即ち、前記第１基本バンド７００はＴＤＤ方式で構成される。
【００８８】
前記第１基本バンド７００のダウンリンク領域７２０はスーパーフレームヘッダ（ＳＦＨ）７２１、ダウンリンク資源割当マップ情報７２３、アップリンク資源割当マップ情報７２５、ファストフィードバック割当マップ情報７２７及びフィードバックポーリングマップ情報７２９を含む。ここで、前記ファストフィードバック割当マップ情報７２７とフィードバックポーリングマップ情報７２９は、本発明の説明を容易にするために記述されたことであって前記第１基本バンド７００のダウンリンク領域７２０に含まれないこともある。
【００８９】
前記サブバンド７１０のダウンリンク領域７５０はスーパーフレームヘッダ７５１、ダウンリンク資源割当マップ情報７５３、ファストフィードバック割当マップ情報７５５、フィードバックポーリングマップ情報７５７及びシステムチャネル情報（ＡＡＩ＿ＳＣＤ）７５９を含む。ここで、前記ファストフィードバック割当マップ情報７５５とフィードバックポーリングマップ情報７５７は本発明の説明を容易にするために記述されたことであって前記サブバンド７１０のダウンリンク領域７５０に含まれないこともある。
【００９０】
前記第１基本バンド７００のアップリンク領域７３０は前記第１基本バンド７００のダウンリンクに対するフィードバックチャネル７３１、前記第１基本バンド７００の帯域要請チャネル７３３、前記サブバンド７１０のダウンリンクに対するフィードバックチャネル７３５、前記第１基本バンド７００のデータチャネル７３７、前記第１基本バンド７００のファストフィードバック情報を伝送するためのデータチャネル７３９及び前記サブバンド７１０のファストフィードバック情報を伝送するためのデータチャネル７４１を含む。
【００９１】
上述のフレーム構成において前記第１基本バンド７００のダウンリンクに対するフィードバックチャネル７３１情報は前記第１基本バンド７００のＳＦＨ７２１を介して伝送され、前記サブバンド７１０のダウンリンクに対するフィードバックチャネル７３５情報は前記サブバンド７１０のＳＦＨ７５９を介して伝送される。また、前記第１基本バンド７００のファストフィードバック情報を伝送するためのデータチャネル７３９情報は前記第１基本バンド７００のフィードバックポーリングマップ情報７２９を介して伝送され、前記サブバンド７１０のファストフィードバック情報を伝送するためのデータチャネル７４１情報は前記サブバンド７１０のフィードバックポーリングマップ情報７５７を介して伝送される。例えば、前記システムチャネル情報７５９は前記表１または前記表２に示した情報を含むように構成される。
【００９２】
以下の説明は移動局において前記図７に示したフレーム構成に利用して非対称的なサブバンドのフィードバックを処理するための方法に対して説明する。
【００９３】
図８は、本発明の他の実施例による無線通信システムの移動局において非対称的な周波数バンドのフィードバックを処理するための手順を示す図である。
【００９４】
前記図８を参照すると基本バンドを利用して基地局と通信中の移動局は、ステップ８０１でオーバーレイモード中キャリアアグリゲーション（ＣＡ）モードを行うか否かを決定する。
【００９５】
キャリアアグリゲーションモードを行わない場合、前記移動局はこのアルゴリズムを終了する。
【００９６】
一方、キャリアアグリゲーションモードを行う場合、前記移動局はステップ８０３に進めて自らの多重集多数支援能力情報を前記基地局へ伝送する。ここで、前記多重周波数支援能力情報は、前記移動局が支援できる周波数バンド、前記移動局が同時に運用できる周波数バンドの個数、ガードギャリア支援有無などの情報を含む。
【００９７】
前記多重周波数支援能力情報を伝送した後、前記移動局はステップ８０５に進めて前記基地局からキャリアアグリゲーションモードで使用するサブバンドに対する情報を受信する。
【００９８】
以後、前記移動局はステップ８０７で前記基地局から前記サブバンドに対する活性指示情報を受信する。例えば、前記移動局は前記基地局から前記サブバンドのアップ／ダウンリンクに対する活性指示情報またはダウンリンクに対する活性指示情報を受信する。
【００９９】
前記活性指示情報を受信した後、前記移動局はステップ８０９に進めて前記基地局の指示によって活性化されたサブバンドと前記基本バンドを利用したＣＡモードを介して前記基地局とデータを送受信する。
【０１００】
前記ＣＡモードを介してデータを送受信する場合、前記移動局はステップ８１１に進めて前記サブバンドが非対称的な周波数バンドであるか否かを確認する。例えば、前記移動局は、前記基地局から提供されるグローバルキャリア設定メッセージと多重周波数バンド情報メッセージ及び隣接基地局情報メッセージのうち少なくとも一つのメッセージに含まれた周波数バンドの特性情報を介して前記サブバンドが非対称的な周波数バンドであるか否かを確認する。この際、前記移動局は前記周波数バンド特性のうち対称周波数バンド／非対称周波数バンド情報を介して前記サブバンドが非対称的な周波数バンドであるか否かを確認する。他の例を挙げると、前記移動局は前記ステップ８０７で前記基地局から提供されるサブバンドに対する活性指示情報を利用して前記サブバンドが非対称的な周波数バンドであるか否かを確認することもある。即ち、前記基地局でサブバンドのダウンリンクに対する活性化のみを指示する場合、前記移動局は前記サブバンドが非対称的な周波数バンドであることと認識する。
【０１０１】
前記サブバンドが非対称的な周波数バンドである場合、前記移動局はステップ８１３に進めて前記サブバンドのシステムチャネル情報（ＡＡＩ＿ＳＣＤ）から前記非対称的なサブバンドに対するフィードバックチャネル情報を獲得する。例えば、前記図７の場合、前記移動局は前記サブバンド７１０のシステムチャネル情報７５９を介して前記サブバンド７１０のダウンリンクに対するフィードバックチャネル７３５情報を取得する。また、前記移動局は前記サブバンド７１０のフィードバックポーリングマップ情報７５７を介して前記サブバンド７１０のファストフィードバック情報を伝送するためのデータチャネル７４１情報を獲得することもできる。
【０１０２】
前記サブバンドに対するフィードバックチャネル情報を獲得した後、前記移動局はステップ８１５に進めて前記サブバンドに対するフィードバックチャネル情報を利用して前記基本バンドのアップリンク領域に割り当てられるサブバンドのフィードバックチャネル領域を確認する。以後、前記移動局は前記確認したサブバンドのフィードバックチャネル領域を介して前記サブバンドのフィードバックを行う。例えば、前記図７の場合、前記移動局は前記基本バンド７００のフィードバックチャネル７３１を介して前記基本バンドのフィードバックを伝送し、前記サブバンド７１０のフィードバックチャネル７３５を介して前記サブバンドのフィードバックバンドを伝送する。
【０１０３】
一方、前記ステップ８１１で前記サブバンドが非対称的な周波数バンドではない場合、前記移動局はステップ８１７に進めて前記サブバンドのスーパーフレームヘッダ（ＳＦＨ）から前記サブバンドに対するフィードバックチャネル情報を獲得する。
【０１０４】
前記サブバンドに対するフィードバックチャネル情報を獲得した後、前記移動局はステップ８１９に進めて前記サブバンドのアップリンク領域に割り当てられるサブバンドのフィードバックチャネル領域を確認する。以後、前記移動局は、前記確認したサブバンドのフィードバックチャネル領域を介して前記サブバンドのフィードバックを行う。
【０１０５】
以後、前記移動局は、このアルゴリズムを終了する。
【０１０６】
図９は、本発明の他の実施例による無線通信システムの基地局において非対称的な周波数バンドのフィードバックを処理する基地局の動作を示す図である。
【０１０７】
前記図９を参照すると、基地局はステップ９０１でサービスを提供する移動局中、キャリアアグリゲーション（ＣＡ）モードで動作する移動局が存在するか否かを確認する。
【０１０８】
キャリアアグリゲーションモードで動作する移動局が存在しない場合、前記基地局はこのアルゴリズムを終了する。
【０１０９】
一方、キャリアアグリゲーションモードで動作する移動局が存在する場合、前記基地局はステップ９０３に進めて非対称的な構造のサブバンドを運用する移動局が存在するか否かを確認する。
【０１１０】
非対称的な構造のサブバンドを運用する移動局が存在する場合、前記基地局はステップ９０５に進めて基本バンドのＳＦＨと前記サブバンドのシステムチャネル情報（ＡＡＩ＿ＳＣＤ）を利用して前記基本バンドのフィードバックチャネル割当情報と前記サブバンドに対するフィードバックチャネル割当情報を伝送する。例えば、前記図７の場合、前記基地局は前記サブバンド７１０のシステムチャネル情報（ＡＡＩ＿ＳＣＤ）７５９を介して前記サブバンド７１０のダウンリンクに対するフィードバックチャネル７３５情報は伝送される。また、前記基地局は前記サブバンド７１０のフィードバックポーリングマップ情報７５７を介して前記サブバンド７１０のファストフィードバック情報を伝送するためのデータチャネル７４１情報を伝送することもできる。
【０１１１】
以後、前記基地局はステップ９０７に進めて前記基本バンドのＳＦＨとサブバンドのシステムチャネル情報を介して伝送したフィードバックチャネル割当情報によって基本バンドに割り当てたフィードバックチャネルを介して基本バンドと前記非対称的な構造のサブバンドに対するフィードバックを受信する。
【０１１２】
一方、前記ステップ９０３で非対称的な構造のサブバンドを運用する移動局が存在しない場合、前記基地局はステップ９０９に進めて前記サブバンドのスーパーフレームヘッダ（ＳＦＨ）を利用して対称的な構造のサブバンドに対するフィードバックチャネル割当情報を伝送する。この際、前記基地局は対称的な構造の基本バンドのＳＦＨを介して前記基本バンドのフィードバックチャネル割当情報を伝送する。
【０１１３】
以後、前記基地局はステップ９１１に進めて前記基本バンドのＳＦＨを介して伝送したフィードバックチャネル割当情報によって基本バンドに割り当てたフィードバックチャネルを介して前記基本バンドのフィードバックを受信する。また、前記基地局は前記対称的な構造のサブバンドのＳＦＨを介して伝送したフィードバックチャネル割当情報によってサブバンドに割り当てたフィードバックチャネルを介して前記サブバンドのフィードバックを受信する。
【０１１４】
以後、前記基地局は、このアルゴリズムを終了する。
【０１１５】
図１０は、本発明による無線通信システムにおいて非対称的な周波数バンドを支援するための移動局のブロック構成を示す図である。
【０１１６】
前記図１０に示すように、前記移動局は送受切換器１０００、受信器１００２、メッセージ処理器１００４、制御部１０１０、メッセージ生成器１０２２、及び送信器１０２４を含めて構成される。
【０１１７】
前記送受切換器１０００は、デュプレックス方式によって前記送信器１０２４から提供された送信信号を、アンテナを介して送信し、アンテナからの受信信号を受信器１００２に提供する。
【０１１８】
前記受信器１００２は、前記送受切換器１０００から提供された高周波信号をベースバンド信号に変換して復調する。前記受信器１００２は、ＲＦ処理ブロック、復調ブロック、チャネル復号ブロックなどを含んで構成され得る。ここで、前記ＲＦ処理ブロックは、前記送受切換器１０００から提供された高周波信号をベースバンド信号に変換して出力する。前記復調ブロックは、前記ＲＦ処理ブロックから提供された信号から各副搬送波に載せられたデータを抽出するためのＦＦＴ演算器などで構成される。前記チャネル復号ブロックは、復調器、デインターリーバ及びチャネル復号器などで構成される。
【０１１９】
前記受信器１００２は、前記制御部１０１０の制御によって受信周波数帯域を変更される。例えば、前記移動局がオーバーレイモードを支援しない場合、前記受信器１００２は前記制御部１０１０の制御によって基本バンドが含まれるように受信周波数帯域を変更する。他の例を挙げると、前記移動局がオーバーレイモードを支援する場合、前記受信器１００２は前記制御部１０１０の制御によって基本バンドと少なくとも一つのサブバンドが含まれるように受信周波数帯域を変更する。
【０１２０】
前記メッセージ処理器１００４は、前記受信器１００２から提供された信号から制御情報を抽出して前記制御部１０１０に提供する。即ち、前記メッセージ処理器１００４は、前記受信器１００２から提供された信号からフィードバックチャネル情報、サブバンド割当情報及びサブバンド指示情報などを抽出して前記制御部１０１０に提供する。例えば、前記図３に示すように、非対称的な周波数バンドを運営する場合、前記メッセージ処理器１００４は、前記サブバンド３１０のＳＦＨ３５１で前記サブバンド３１０のダウンリンクに対するフィードバックチャネル３３５情報を取得する。また、前記メッセージ処理器１００４は、前記サブバンド３１０のフィードバックポーリングマップ情報３５７から前記サブバンド３１０のファストフィードバック情報を伝送するためのデータチャネル３４１情報を獲得する。他の例を挙げると、前記図７に示すように、非対称的な周波数バンドを運営する場合、前記メッセージ処理器１００４は、前記サブバンド７１０のシステムチャネル情報７５９から前記サブバンド７１０のダウンリンクに対するフィードバックチャネル７３５情報を取得する。また、前記メッセージ処理器１００４は、前記サブバンド７１０のフィードバックポーリングマップ情報７５７から前記サブバンド７１０のファストフィードバック情報を伝送するためのデータチャネル７４１情報を獲得する。一方、前記メッセージ処理器１００４は対称的な周波数バンドの場合、前記サブバンド７１０のＳＦＨ７５１から前記サブバンド７１０のダウンリンクに対するフィードバックチャネル７３５情報を取得する。
【０１２１】
前記制御部１０１０は、前記移動局の全般的な動作及びオーバーレイモードを制御する。この際、前記制御部１０１０はサービング局から提供されるサブバンド割当情報とサブバンド指示情報を介して活性化された少なくとも一つのサブバンドと前記基本バンドを利用してオーバーレイモードを行うように制御する。
【０１２２】
また、前記制御部１０１０は、オーバーレイモードの支援有無に応じて前記受信器１００２は、前記送信器１０２４の周波数帯域を制御する。例えば、前記移動局がオーバーレイモードを支援しない場合、前記制御部１０１０は、前記受信器１００２の受信周波数帯域と前記送信器１０２４の送信周波数帯域が基本バンドを含まれるように設定するように制御する。他の例を挙げると、前記移動局が前記図３に示すように多重バンドを運営する場合、前記制御部１０１０は、前記受信器１００２の受信周波数帯域が基本バンド３００を含まれるように設定するように制御する。また、前記制御部１０１０は、前記送信器１０２４の送信周波数帯域が前記基本バンド３００と前記サブバンド３１０を含まれるように設定するように制御する。
【０１２３】
前記制御部１０１０は、非対称的な構造の周波数バンドの運用有無を判断する。例えば、前記制御部１０１０は、前記サービング局から提供されるグローバルキャリア設定（ＡＡＩ＿Ｇｌｏｂａｌ−Ｃｏｎｆｉｇ）メッセージと多重周波数バンド情報（ＡＡＩ＿ＭＣ−ＡＤＹ）メッセージ及び隣接基地局情報（ＡＡＩ＿ＮＢＲ−ＡＤＶ）メッセージのうち少なくとも一つのメッセージに含まれた周波数バンドの特性情報を介して前記サブバンドが非対称的な周波数バンドであるか否かを確認する。この際、前記制御部１０１０は、前記周波数バンド特性のうち対称周波数バンド（ｆｕｌｌｙ  ｃｏｎｆｉｇｕｒｅｄ  ｃａｒｒｉｅｒ）／非対称周波数バンド（ｐａｒｔｉａｌｌｙ  ｃｏｎｆｉｇｕｒｅｄ  ｃａｒｒｉｅｒ）情報を介して前記サブバンドが非対称的な周波数バンドであるか否かを確認する。他の例を挙げると、前記制御部１０１０は、前記サービング局から提供されるサブバンドに対する活性指示情報を利用して前記サブバンドが非対称的な周波数バンドであるか否かを確認することもある。即ち、前記サービング局でサブバンドのダウンリンクに対する活性化のみを指示する場合、前記制御部１０１０は前記サブバンドが非対称的な周波数バンドであることと認識する。
【０１２４】
非対称的な構造の周波数バンドを運用する場合、前記制御部１０１０は前記非対称的な構造の周波数バンドに対するフィードバックチャネル情報を受信し得るように前記メッセージ処理器１００４を制御する。
【０１２５】
前記メッセージ生成器１０２２は、前記制御部１０１０の制御によってサービング局に伝送する制御メッセージを生成する。例えば、前記メッセージ生成器１０２２は、前記制御部１０１０の制御によって前記移動局の多重周波数支援能力情報を含む制御メッセージを生成する。ここで、前記多重周波数支援能力情報は、前記移動局が支援できる周波数バンド、前記移動局が同時に運用できる周波数バンドの個数、ガードギャリア支援有無などの情報を含む。他の例を挙げると、前記メッセージ生成器１０２２は、前記制御部１０１０の制御によって基本バンドと少なくとも一つのサブバンドのフィードバックメッセージを生成する。
【０１２６】
前記送信器１０２４は、前記サービング局から伝送するデータ及び前記メッセージ生成部１０２２から提供された制御メッセージを符号化及び高周波信号に変換して前記送受切換器１０００に伝送する。例えば、前記図３に示すように、非対称的なサブバンドを運用する場合、前記送信器１０２４は前記メッセージ処理器１００４にて確認した前記基本バンド３００のアップリンクに割り当てられた前記フィードバックチャネル３３５を介して前記基本バンドとサブバンドのフィードバック情報を伝送する。
【０１２７】
前記受信器１０２４は、チャネル符号ブロック、変調ブロック、ＲＦ処理ブロックなどを含んで構成され得る。ここで、前記チャネル復号ブロックは復調器、インターリーバ及びチャネル復号器などで構成される。前記復調ブロックは、前記チャネル符号ブロックから提供された信号から各副搬送波にマッピングするためのＩＦＦＴ演算器などで構成される。前記ＲＦ処理ブロックは、前記変調ブロックから提供されたベースバンド信号を高周波信号に変換して、前記送受切換器１０００に送信する。
【０１２８】
前記送信器１０２４は、前記制御部１０１０の制御によって送信周波数帯域を変更される。
【０１２９】
図１１は、本発明による無線通信システムにおいて非対称的な周波数バンドを支援するための基地局のブロック構成を示す図である。
【０１３０】
前記図１１に示すように、前記基地局は送受切換器１１００、受信器１１０２、メッセージ処理器１１０４、制御部１１１０、ＣＡ制御部１１１２、メッセージ生成器１１２２、及び送信器１１２４を含めて構成される。
【０１３１】
前記送受切換器１１００は、デュプレックス方式によって前記送信器１１２４から提供された送信信号を、アンテナを介して送信し、アンテナからの受信信号を受信器１１０２に提供する。
【０１３２】
前記受信器１１０２は、前記送受切換器１１００から提供された高周波信号をベースバンド信号に変換して復調する。前記受信器１１０２はＲＦ処理ブロック、復調ブロック、チャネル復号ブロックなどを含んで構成され得る。ここで、前記ＲＦ処理ブロックは前記送受切換器１１００から提供された高周波信号をベースバンド信号に変換して出力する。前記復調ブロックは前記ＲＦ処理ブロックから提供された信号から各副搬送波に載せられたデータを抽出するためのＦＦＴ演算器などで構成される。前記チャネル復号ブロックは復調器、デインターリーバ及びチャネル復号器などから構成される。
【０１３３】
前記受信器１１０２は前記制御部１１１０の制御によって受信周波数帯域を変更する。
【０１３４】
前記メッセージ処理器１１０４は前記受信器１１０２から提供された信号から制御情報を抽出して前記制御部１１１０に提供する。
【０１３５】
前記制御部１１１０は、前記サービング局の全般的な動作及びオーバーレイモード支援有無に応じて送受信周波数を制御する。即ち、前記制御部１１１０はオーバーレイモードの支援有無に応じて前記受信器１１０２と前記前記送信器１１２４の周波数帯域を制御する。例えば、サービスを提供する移動局がオーバーレイモードを支援しない場合、前記制御部１１１０は前記受信器１１０２の受信周波数帯域と前記送信器１１２４の送信周波数帯域が基本バンドを含まれるように設定するように制御する。他の例を挙げると、サービスを提供する移動局が前記図３に示された多重バンドを運営する場合、前記制御部１１１０は前記受信器１１０２の受信周波数帯域が基本バンド３００と前記サブバンド３１０が含まれるように設定するように制御する。また、前記制御部１１１０は前記送信器１１２４の送信周波数帯域が前記基本バンド３００を含まれるように設定するように制御する。
【０１３６】
前記ＣＡ制御部１１１２は、多重バンドを支援し得る移動局の多重周波数支援能力情報を基づいて前記移動局のサブバンドを決定する。また、前記ＣＡ制御部１１１２は、前記移動局に割り当てたサブバンドから活性させる領域を決定する。
【０１３７】
前記メッセージ生成器１１２２は、前記制御部１１１０の制御によって移動局に伝送する制御メッセージを生成する。例えば、前記メッセージ生成器１１２２は、前記制御部１１１０の制御によって移動局のサブバンド情報を含む制御メッセージ及びサブバンド活性指示情報を含む制御メッセージを生成する。他の例を挙げると、前記メッセージ生成器１１２２は、基本バンドとサブバンドのフィードバックチャネル情報を含む制御メッセージを生成する。もし、前記図７に示すように、非対称的なサブバンドを運用する場合、前記メッセージ生成器１１２２はサブバンドのフィードバックチャネル情報が含まれるように前記サブバンド７１０のシステムチャネル情報７５９メッセージを生成する。一方、前記図３に示すように、非対称的なサブバンドを運用する場合、前記メッセージ生成器１１２２は、サブバンドのフィードバックチャネル情報が含まれるように前記サブバンド３１０のＳＦＨ３５１を生成する。
【０１３８】
前記送信器１１２４は、前記移動局に伝送するデータ及び前記メッセージ生成部１１２２から提供された制御メッセージを符号化及び高周波信号に変換して前記送受切換器１１００に伝送する。前記送信器１１２４は、チャネル符号ブロック、変調ブロック、ＲＦ処理ブロックなどを含んで構成され得る。ここで、前記チャネル復号ブロックは、復調器、インターリーバ及びチャネル復号器などで構成される。前記復調ブロックは、前記チャネル符号ブロックから提供された信号から各副搬送波にマッピングするためのＩＦＦＴ演算器などで構成される。前記ＲＦ処理ブロックは、前記変調ブロックから提供されたベースバンド信号を高周波信号に変換して、前記送受切換器１１００に出力する。
【０１３９】
前記送信器１１２４は、前記制御部１１１０の制御によって送信周波数帯域が変更する。例えば、サービスを提供する移動局がオーバーレイモードを支援しない場合、前記送信器１１２４は前記制御部１１１０の制御によって基本バンドが含まれるように送信周波数帯域を変更する。他の例を挙げると、サービスを提供する移動局がオーバーレイモードを支援する場合、前記送信器１１２４は前記制御部１１１０の制御によって基本バンドと少なくとも一つのサブバンドが含まれるように送信周波数帯域を変更する。
【０１４０】
前記図１０に示すように、移動局と前記図１１に示された基地局は、一つの送受信装置で構成される。しかし、前記移動局と基地局は、基本バンドと少なくとも一つのサブバンドのための少なくとも二個の送受信装置で構成されることもある。
【０１４１】
上述した実施例において、基地局はスーパーフレームヘッダ（ＳＦＨ）とシステムチャネル情報（ＡＡＩ＿ＳＣＤ）メッセージのうちいずれか一つを利用して非対称的なサブバンドに対するフィードバックチャネル情報を移動局へ伝送する。
【０１４２】
他の実施例において、前記基地局は、前記サブバンドに対するフィードバックチャネル情報のうち全フィードバックチャネル領域情報と前記フィードバックチャネル領域中からＨＡＲＱフィードバック伝送チャネル領域情報をスーパーフレームヘッダ（ＳＦＨ）を介して伝送して前記フィードバックチャネル領域開始位置はシステムチャネル情報（ＡＡＩ＿ＳＣＤ）メッセージを介して伝送することもある。
【０１４３】
また、上述した実施例において、移動局は一個の基本バンドと一個のサブバンドを利用して多重周波数バンド動作を行う。しかし、前記移動局が少なくとも一つのサブバンドを利用して多重周波数バンド動作を行う場合にも同じく適用され得る。もし、少なくとも一つのサブバンドが非対称的なバンド組合せで構成される場合、基地局は各々の非対称的なサブバンドのスーパーフレームヘッダ（ＳＦＨ）とシステムチャネル情報（ＡＡＩ＿ＳＣＤ）のうち少なくとも一つを利用して各々の非対称サブバンドに対するフィードバックチャネル情報を伝送する。ここで、前記非対称的なサブバンドに対するフィードバックチャネルは、前記移動局の基本バンドに割り当てられる。
【０１４４】
また、上述した実施例において、基地局はスーパーフレームヘッダ（ＳＦＨ）とシステムチャネル情報（ＡＡＩ＿ＳＣＤ）の放送信号を介して非対称的なサブバンドに対するフィードバックチャネル情報を移動局へ伝送する。
【０１４５】
他の実施例において、基地局は非対称的なサブバンドに対する活性指示情報を介して前記サブバンドに対するフィードバックチャネル情報を移動局へ伝送することもある。この場合、前記フィードバックチャネル情報は前記表１または表２で記述された情報を含む。
【０１４６】
上述したように、無線通信システムにおいて移動局に非対称周波数キャリアアグリゲーションが割り当てられた場合、前記移動局で基本バンドを利用して非対称的なサブバンドのチャネルフィードバックを伝送することによって、非対称周波数キャリアアグリゲーションで非対称的なサブバンドのチャネルフィードバックを伝送することができるという利点がある。
【０１４７】
一方、本発明の実施するための形態では具体的な実施例に関して説明したが、本発明の範囲を逸脱しない範囲内で多様な変形が可能である。それで、本発明の範囲は上述の実施例に限定されることではなく、後述される特許請求の範囲のみならずこの特許請求の範囲と均等なものによって定めなければならない。
【符号の説明】
【０１４８】
１００  移動局
１２０  第１ＦＡ領域
１４０  第２ＦＡ領域
１５０  移動局
１６０  第１ＦＡ領域
１８０  第２ＦＡ領域
【図１】
0005607763.tif 000004
【図２】
0005607763.tif 000005
【図３】
0005607763.tif 000006
【図４】
0005607763.tif 000007
【図５】
0005607763.tif 000008
【図６】
0005607763.tif 000009
【図７】
0005607763.tif 000010
【図８】
0005607763.tif 000011
【図９】
0005607763.tif 000012
【図１０】
0005607763.tif 000013
【図１１】
0005607763.tif 000014